(57)【特許請求の範囲】
【請求項１】
第１の部材と、前記第１の部材に取り付けられる第２の部材と、を有する筐体、
を具備し、
前記第１の部材は、第１の壁と、前記第１の壁から当該第１の壁と交差する突出方向に突出する第２の壁と、前記第２の壁に設けられるとともに前記筐体の外部に向く外面と、前記突出方向における前記外面の縁と、を有し、
前記第２の部材は、第３の壁と、前記第３の壁に設けられるとともに前記外面と向かい合う内面と、を有し、
前記外面と、前記内面のうち前記外面と向かい合う部分と、の少なくとも一方に、前記外面の前記縁から離間しているとともに、前記突出方向と交差するとともに前記内面及び前記外面のうち少なくとも一方に沿う方向に延びる凹部が設けられ、
前記筐体に、前記第２の壁に囲まれた第１の部屋と、前記凹部と連通するとともに前記第１の部屋から隔てられた第２の部屋と、が設けられ、
前記第２の壁は、外壁と、前記外壁に連続する隔壁と、を有し、
前記外壁は、前記第１の壁の縁から前記突出方向に突出し、
前記隔壁は、前記第１の壁の前記縁から離間した位置で、前記第１の壁から前記突出方向に突出し、
前記外壁の前記外面と、前記隔壁の前記外面とは、互いに連続する、
電子機器。
【請求項２】
前記筐体に、前記第２の部屋と前記筐体の外部とを連通する第１の孔が設けられる、
請求項１の電子機器。
【請求項３】
前記筐体に、前記第１の部屋と前記筐体の外部とを連通する複数の第２の孔が設けられ、
前記第１の孔と前記複数の第２の孔とが一つの列を形成する、
請求項２の電子機器。
【請求項４】
前記凹部は、前記突出方向に互いに離間した複数の溝を含む、請求項１乃至請求項３のいずれか一つの電子機器。
【請求項５】
前記凹部は、前記外面に設けられる、請求項１乃至請求項４のいずれか一つの電子機器。
【発明の詳細な説明】
【技術分野】
【０００１】
本発明の実施形態は、電子機器に関する。
【背景技術】
【０００２】
電子機器では、筐体に種々の部品が収容される。従来、水のような液体が付着する状況での利用が想定される電子機器の筐体として、水の浸入に対する耐性を備える筐体が知られる。
【先行技術文献】
【特許文献】
【０００３】
【特許文献１】特開２０１６−０１８９４４号公報
【発明の概要】
【発明が解決しようとする課題】
【０００４】
電子機器の利用が想定される状況に応じて、当該電子機器の筐体の耐水性能は設定され得る。電子機器の利用が想定される状況に対して過剰な耐水性能は、電子機器のコストを増大させてしまう。
【０００５】
本発明が解決する課題の一例は、液体が筐体の内部に浸入することを抑制可能でありながらコストが増大することを抑制可能な電子機器を提供することである。
【課題を解決するための手段】
【０００６】
本発明の第１態様に係る電子機器は、第１の部材と、前記第１の部材に取り付けられる第２の部材と、を有する筐体、を備え、前記第１の部材は、第１の壁と、前記第１の壁から当該第１の壁と交差する突出方向に突出する第２の壁と、前記第２の壁に設けられるとともに前記筐体の外部に向く外面と、前記突出方向における前記外面の縁と、を有し、前記第２の部材は、第３の壁と、前記第３の壁に設けられるとともに前記外面と向かい合う内面と、を有し、前記外面と、前記内面のうち前記外面と向かい合う部分と、の少なくとも一方に、前記外面の前記縁から離間しているとともに、前記突出方向と交差するとともに前記内面及び前記外面のうち少なくとも一方に沿う方向に延びる凹部が設けられ、前記筐体に、前記第２の壁に囲まれた第１の部屋と、前記凹部と連通するとともに前記第１の部屋から隔てられた第２の部屋と、が設けられ、前記第２の壁は、外壁と、前記外壁に連続する隔壁と、を有し、前記外壁は、前記第１の壁の縁から前記突出方向に突出し、前記隔壁は、前記第１の壁の前記縁から離間した位置で、前記第１の壁から前記突出方向に突出し、前記外壁の前記外面と、前記隔壁の前記外面とは、互いに連続する。
【０００８】
前記電子機器では、前記筐体に、前記第２の部屋と前記筐体の外部とを連通する第１の孔が設けられる。
【０００９】
前記電子機器では、前記筐体に、前記第１の部屋と前記筐体の外部とを連通する複数の第２の孔が設けられ、前記第１の孔と前記複数の第２の孔とが一つの列を形成する。
【００１０】
前記電子機器では、前記凹部は、前記突出方向に互いに離間した複数の溝を含む。
【００１１】
前記電子機器では、前記凹部は、前記外面に設けられる。
【発明の効果】
【００１２】
本発明の上記態様によれば、液体が筐体の内部に浸入することを抑制可能であるとともにコストが増大することを抑制可能な電子機器を得ることが可能となる。
【図面の簡単な説明】
【００１３】
【図１】図１は、第１の実施形態に係るタブレットコンピュータ（タブレット）を示す斜視図である。
【図２】図２は、第１の実施形態のタブレットの一部の断面を示す斜視図である。
【図３】図３は、第１の実施形態のタブレットの一部を示す断面図である。
【図４】図４は、第１の実施形態のリアカバーの一部を示す斜視図である。
【図５】図５は、第１の実施形態のリアカバーの一部及びクッション材を示す斜視図である。
【図６】図６は、第１の実施形態のリアカバーの一部及びクッション材を示す平面図である。
【図７】図７は、第１の実施形態のリアカバーの一部及びクッション材を図６のＦ７−Ｆ７線に沿って示す断面図である。
【図８】図８は、第２の実施形態に係るタブレットの一部を示す断面図である。
【発明を実施するための形態】
【００１４】
（第１の実施形態）
以下に、第１の実施形態について、図１乃至図７を参照して説明する。なお、本明細書において、実施形態に係る構成要素及び当該要素の説明が、複数の表現で記載されることがある。構成要素及びその説明は、一例であり、本明細書の表現によって限定されない。構成要素は、本明細書におけるものとは異なる名称でも特定され得る。また、構成要素は、本明細書の表現とは異なる表現によっても説明され得る。
【００１５】
図１は、第１の実施形態に係るタブレットコンピュータ（タブレット）１０を示す斜視図である。タブレット１０は、電子機器の一例である。なお、電子機器は、タブレット１０に限らず、パーソナルコンピュータ（ＰＣ）、スマートフォン、携帯電話、携帯情報端末（ＰＤＡ）、ゲーム機、ウェアラブル機器、又は他の電子機器であっても良い。
【００１６】
各図面に示されるように、本明細書において、便宜上、Ｘ軸、Ｙ軸及びＺ軸が定義される。Ｘ軸とＹ軸とＺ軸とは、互いに直交する。Ｘ軸は、タブレット１０の幅に沿って設けられる。Ｙ軸は、タブレット１０の長さに沿って設けられる。Ｚ軸は、タブレット１０の厚さに沿って設けられる。
【００１７】
さらに、本明細書において、Ｘ方向、Ｙ方向及びＺ方向が定義される。Ｘ方向は、Ｘ軸に沿う方向であって、Ｘ軸の矢印が示す＋Ｘ方向と、Ｘ軸の矢印の反対方向である−Ｘ方向とを含む。Ｙ方向は、Ｙ軸に沿う方向であって、Ｙ軸の矢印が示す＋Ｙ方向と、Ｙ軸の矢印の反対方向である−Ｙ方向とを含む。Ｚ方向は、Ｚ軸に沿う方向であって、Ｚ軸の矢印が示す＋Ｚ方向と、Ｚ軸の矢印の反対方向である−Ｚ方向とを含む。
【００１８】
図２は、第１の実施形態のタブレット１０の一部の断面を示す斜視図である。図２に示すように、タブレット１０は、筐体１１と、表示装置１２と、タッチパネル１３と、基板１４と、他の種々の部品とを有する。例えば、タブレット１０は、ハードディスクドライブ（ＨＤＤ）又はソリッドステートドライブ（ＳＳＤ）のような記録装置と、バッテリと、通信装置と、送風機と、をさらに有する。なお、タブレット１０に備えられる部品は、この例に限られない。
【００１９】
筐体１１は、表示装置１２、タッチパネル１３、基板１４、及び他の部品を収容する。なお、表示装置１２及びタッチパネル１３は、筐体１１の外部に露出している。タブレット１０は、筐体１１の外部に配置された部品を有しても良い。
【００２０】
表示装置１２は、例えば、液晶ディスプレイ（ＬＣＤ）又は有機ＥＬディスプレイ（ＯＬＥＤ）である。なお、表示装置１２は、他の表示装置であっても良い。表示装置１２は、Ｘ−Ｙ平面に沿う略四角形の板状に形成される。
【００２１】
表示装置１２は、筐体１１の外部に向く表示面１２ａを有する。表示面１２ａは、略平坦に形成され、＋Ｚ方向に向く。表示装置１２は、入力された電気信号に応じて、表示面１２ａに種々の画像を表示する。
【００２２】
タッチパネル１３は、例えば、静電容量方式のタッチパネルであり、入力装置として用いられる。タッチパネル１３は、表示装置１２の表示面１２ａを覆う。なお、タッチパネル１３は、電磁誘導方式のタッチパネルであっても良いし、表示面１２ａの反対側に位置しても良い。
【００２３】
基板１４は、例えば、プリント回路板（ＰＣＢ）又はフレキシブルプリント回路板（ＦＰＣ）である。基板１４に、例えば、中央演算処理装置（ＣＰＵ）と、ランダムアクセスメモリ（ＲＡＭ）と、リードオンリーメモリ（ＲＯＭ）と、種々の電子部品が搭載されている。基板１４は、それぞれに種々の電子部品が搭載された複数の基板を含んでも良い。
【００２４】
筐体１１は、リアカバー２１と、フロントカバー２２と、図１の四つのクッション材２３とを有する。リアカバー２１は、第１の部材の一例である。フロントカバー２２は、第２の部材の一例である。筐体１１は、他の部材をさらに有しても良い。
【００２５】
リアカバー２１は、例えば、合成樹脂によって作られる。なお、リアカバー２１は、金属のような他の材料によって作られても良い。リアカバー２１は、底壁３１と、側壁３２と、を有する。底壁３１は、第１の壁の一例である。側壁３２は、第２の壁の一例である。
【００２６】
底壁３１は、Ｘ−Ｙ平面に沿う略四角形の板状に形成される。底壁３１は、表示装置１２から−Ｚ方向に離間するとともに、表示装置１２と略平行に配置される。なお、底壁３１は、この例に限られない。
【００２７】
図３は、第１の実施形態のタブレット１０の一部を示す断面図である。図３に示すように、底壁３１は、外面３１ａと、内面３１ｂとを有する。外面３１ａは、筐体１１の外部に向く。本実施形態において、外面３１ａは、略平坦に形成され、−Ｚ方向に向く。内面３１ｂは、外面３１ａの反対側に位置し、筐体１１の内部に向く。本実施形態において、内面３１ｂは、略平坦に形成され、＋Ｚ方向に向く。内面３１ｂは、間隔を介して表示装置１２に向く。
【００２８】
側壁３２は、底壁３１と一体に形成される。側壁３２は、底壁３１から＋Ｚ方向に突出している。＋Ｚ方向は、突出方向の一例である。すなわち、側壁３２は、底壁３１と略直交する方向に突出している。なお、側壁３２は、底壁３１と交差する他の方向に延びても良い。
【００２９】
図４は、第１の実施形態のリアカバー２１の一部を示す斜視図である。図４に示すように、側壁３２は、複数の外壁３５と、複数の隔壁３６と、を有する。なお、図４は、複数の隔壁３６のうち一つを示す。外壁３５と隔壁３６とは、互いに連続し、一体に形成される。なお、側壁３２は、例えば、切欠き又は孔によって分割されていても良い。
【００３０】
外壁３５は、底壁３１の縁３１ｃから＋Ｚ方向に突出している。外壁３５は、底壁３１の縁３１ｃに沿って延びている。例えば、二つの外壁３５がＸ方向に延びており、他の二つの外壁３５がＹ方向に延びている。
【００３１】
隔壁３６は、リアカバー２１の四隅に設けられる。別の表現によれば、隔壁３６は、Ｘ方向に延びる外壁３５と、Ｙ方向に延びる外壁３５と、の角部分に設けられる。隔壁３６は、Ｘ方向に延びる外壁３５と、Ｙ方向に延びる外壁３５と、に接続される。
【００３２】
隔壁３６は、筐体１１の内側に窪むような略Ｌ字状に形成される。このため、隔壁３６は、底壁３１の縁３１ｃから離間した位置で、底壁３１から＋Ｚ方向に突出する。例えば、隔壁３６の一部は、Ｘ方向に延びる外壁３５の端から略Ｙ方向に延び、隔壁３６の他の一部は、Ｙ方向に延びる外壁３５の端から略Ｘ方向に延びている。なお、隔壁３６はこの例に限られない。
【００３３】
外壁３５と隔壁３６との接続部分は、略曲線状に形成される。言い換えると、外壁３５と隔壁３６とは、互いに滑らかに連続する。なお、外壁３５と隔壁３６とは、互いに交差するように接続されても良い。
【００３４】
図３に示すように、側壁３２は、外面３２ａと、端部３２ｂと、を有する。外面３２ａは、側壁３２に設けられるとともに筐体１１の外部に向く。側壁３２の外壁３５及び隔壁３６はともに、外面３２ａを有する。例えば、外壁３５の外面３２ａは、略Ｘ方向又は略Ｙ方向に向く。外壁３５の外面３２ａと、隔壁３６の外面３２ａとは、互いに滑らかに連続する。
【００３５】
側壁３２の端部３２ｂは、＋Ｚ方向における側壁３２の端に位置する。このため、端部３２ｂは、側壁３２に設けられるとともに、当該側壁３２が突出する方向に向く。側壁３２の外壁３５及び隔壁３６はともに、端部３２ｂを有する。端部３２ｂは、例えば、略平坦に形成される。Ｚ方向において、端部３２ｂは、基板１４から＋Ｚ方向に離間している。なお、基板１４の配置は、この例に限られない。
【００３６】
図４に示すように、筐体１１に、内室Ｓ１と、複数の排水室Ｓ２とが設けられる。内室Ｓ１は、第１の部屋の一例である。排水室Ｓ２は、第２の部屋の一例である。内室Ｓ１は、例えば、底壁３１と、側壁３２と、フロントカバー２２と、表示装置１２とに囲まれている。内室Ｓ１に、例えば、基板１４のような種々の部品が収容される。
【００３７】
排水室Ｓ２は、例えば、底壁３１と、隔壁３６と、フロントカバー２２と、クッション材２３とに囲まれている。排水室Ｓ２は、例えば隔壁３６によって、内室Ｓ１から隔てられている。言い換えると、隔壁３６は、排水室Ｓ２から内室Ｓ１へ、水のような液体や塵埃が侵入することを抑制する。
【００３８】
リアカバー２１は、リブ３７をさらに有する。リブ３７は、底壁３１及び側壁３２と一体に形成される。リブ３７は、底壁３１から＋Ｚ方向に突出している。なお、リブ３７は、底壁３１と交差する他の方向に延びても良い。Ｚ方向において、リブ３７の長さ（高さ）は、側壁３２の長さ（高さ）よりも短い。
【００３９】
リブ３７は、底壁３１の縁３１ｃに沿って延び、排水室Ｓ２を囲む。リブ３７は、一つの外壁３５と隔壁３６との接続部と、当該隔壁３６と他の一つの外壁３５との接続部と、の間で延びている。
【００４０】
底壁３１に、複数の排水口３８と、複数の通気口３９とが設けられる。排水口３８は、第１の孔の一例である。通気口３９は、第２の孔の一例である。排水口３８及び通気口３９はそれぞれ、底壁３１を略Ｚ方向に貫通し、外面３１ａ及び内面３１ｂに開口する。
【００４１】
排水口３８は、排水室Ｓ２と筐体１１の外部とを連通する。通気口３９は、内室Ｓ１と筐体１１の外部とを連通する。例えば、内室Ｓ１に収容された送風機が、通気口３９を通じて筐体１１の外部の空気を取り込む。なお、通気口３９から、筐体１１の内部の空気が排出されても良い。
【００４２】
複数の排水口３８と複数の通気口３９とは、例えば、底壁３１の縁３１ｃに沿って並ぶ、無端の一つの列を形成する。なお、複数の排水口３８と複数の通気口３９とは、端を有する列を形成しても良いし、二つ以上の列を形成しても良い。排水口３８及び通気口３９の間隔は、一定でなくても良く、例えば、筐体１１に収容された部品の配置により設定される。また、排水口３８とともに列を形成しない通気口３９が底壁３１に設けられても良い。
【００４３】
図３に示すように、フロントカバー２２は、例えば、合成樹脂によって作られる。なお、フロントカバー２２は、金属のような他の材料によって作られても良い。リアカバー２１の材料とフロントカバー２２の材料とは、同一でも良いし、互いに異なっても良い。フロントカバー２２は、外側壁４１と、支持壁４２とを有する。外側壁４１は、第３の壁の一例である。
【００４４】
外側壁４１は、略四角形の枠状に形成され、底壁３１の縁３１ｃ及び側壁３２の外壁３５を囲む。外側壁４１は、底壁３１の縁３１ｃ及び側壁３２の外壁３５に沿って延びている。なお、外側壁４１は、例えば、切欠き又は孔によって分割されていても良い。
【００４５】
例えば、外側壁４１に爪及び窪みのうち一方が設けられ、外壁３５に爪及び窪みのうち他方が設けられる。当該爪及び窪みが嵌り合うことで、外側壁４１が外壁３５にスナップフィットにより取り付けられる。すなわち、フロントカバー２２が、リアカバー２１に取り付けられる。
【００４６】
フロントカバー２２は、リアカバー２１にネジのような他の手段により取り付けられても良い。本実施形態では、フロントカバー２２は、スナップフィット及びネジ留めによって、リアカバー２１に取り外し可能に取り付けられる。なお、リアカバー２１とフロントカバー２２との取付方法は、この例に限られない。
【００４７】
外側壁４１は、外面４１ａと、内面４１ｂとを有する。外面４１ａは、外側壁４１に設けられるとともに筐体１１の外部に向く。内面４１ｂは、外側壁４１に設けられるとともに筐体１１の内部に向く。内面４１ｂは、外面４１ａの反対側に位置する。
【００４８】
外側壁４１の内面４１ｂは、側壁３２の外面３２ａと向かい合う。外側壁４１の内面４１ｂと側壁３２の外面３２ａとは、互いに僅かに離間していても良いし、互いに接触していても良い。
【００４９】
Ｚ方向において、外側壁４１の長さ（高さ）は、側壁３２の長さ（高さ）よりも長い。このため、外側壁４１の内面４１ｂの一部４１ｂａと、側壁３２の外面３２ａとが、互いに向かい合う。外側壁４１の内面４１ｂの他の一部４１ｂｂは、内室Ｓ１に面している。なお、外側壁４１の内面４１ｂの略全域と、側壁３２の外面３２ａとが、互いに向かい合っても良い。
【００５０】
支持壁４２は、底壁３１から＋Ｚ方向に離間した位置で、外側壁４１から筐体１１の内部に向かって突出する。支持壁４２は、側壁３２の端部３２ｂから＋Ｚ方向に離間している。支持壁４２は、略四角形の枠状に形成される。支持壁４２は、封止材４５を介して、表示装置１２を支持する。
【００５１】
封止材４５は、例えば、合成ゴムによって作られる。封止材４５は、表示装置１２がフロントカバー２２に当接することを抑制するとともに、表示装置１２と支持壁４２との間の隙間を水密に塞ぐ。言い換えると、封止材４５は、表示装置１２と支持壁４２との間の隙間から、水のような液体が筐体１１の内部に浸入することを抑制する。
【００５２】
図５は、第１の実施形態のリアカバー２１の一部及びクッション材２３を示す斜視図である。図６は、第１の実施形態のリアカバー２１の一部及びクッション材２３を示す平面図である。図７は、第１の実施形態のリアカバー２１の一部及びクッション材２３を図６のＦ７−Ｆ７線に沿って示す断面図である。
【００５３】
クッション材２３は、例えば、防水性の合成ゴムによって作られる。なお、クッション材２３は、他のエラストマーによって作られても良い。図７に示すように、クッション材２３は、中間壁５１と、外壁５２と、内壁５３と、封止壁５４とを有する。
【００５４】
中間壁５１は、Ｘ−Ｙ平面に沿う板状に形成され、排水室Ｓ２に配置される。中間壁５１は、底壁３１から＋Ｚ方向に離間するとともに、底壁３１と略平行に配置される。例えば、中間壁５１は、リブ３７に支持される。
【００５５】
中間壁５１は、リアカバー２１とフロントカバー２２との間に位置する。例えば、中間壁５１がリアカバー２１とフロントカバー２２との間に保持されることで、クッション材２３が、リアカバー２１及びフロントカバー２２に取り付けられる。
【００５６】
外壁５２は、中間壁５１の外側の縁５１ａから＋Ｚ方向及び−Ｚ方向に突出している。外壁５２は、リブ３７に沿って延び、リブ３７を筐体１１の外側から覆う。外壁５２は、外側壁４１よりも筐体１１の外側に位置する。
【００５７】
タブレット１０の角が他の物体に衝突した場合、クッション材２３の外壁５２は、フロントカバー２２の外側壁４１よりも先に、当該他の物体に当接する。これにより、外壁５２は、フロントカバー２２が損傷することを抑制する。
【００５８】
内壁５３は、中間壁５１の内側の縁５１ｂから＋Ｚ方向に突出する。内壁５３は、隔壁３６から離間するとともに、隔壁３６に沿って延びている。封止壁５４は、内壁５３から筐体１１の内部に向かって突出している。封止壁５４は、側壁３２の端部３２ｂに水密に接触し、端部３２ｂに支持される。このため、封止壁５４は、封止壁５４と端部３２ｂとの間の隙間から、水のような液体が筐体１１の内部に浸入することを抑制する。
【００５９】
図３に示すように、本実施形態では、側壁３２の外面３２ａに、凹部６１が設けられる。凹部６１は、二つの溝６５を有する。なお、凹部６１は、一つ又は三つ以上の溝６５を有しても良い。溝６５は、外面３２ａに開口する有底の窪みである。溝６５は、側壁３２に沿って延びている。なお、溝６５が延びる方向と、側壁３２が延びる方向とが、互いに異なっても良い。
【００６０】
本実施形態では、Ｘ方向に延びる外壁３５に設けられた溝６５は、Ｘ方向に延びている。Ｙ方向に延びる外壁３５に設けられた溝６５は、Ｙ方向に延びている。略Ｘ方向に延びる隔壁３６の一部に設けられた溝６５は、当該一部に沿って、略Ｘ方向に延びている。略Ｙ方向に延びる隔壁３６の一部に設けられた溝６５は、当該一部に沿って、略Ｙ方向に延びている。
【００６１】
凹部６１（溝６５）が延びる方向は、側壁３２が突出する＋Ｚ方向と交差する方向であるとともに、外面３２ａに沿う方向である。本実施形態では、凹部６１（溝６５）が延びる方向は、＋Ｚ方向と直交する方向であるとともに、外面３２ａと平行な方向である。凹部６１が延びる方向は、＋Ｚ方向と斜めに交差する方向であっても良い。
【００６２】
二つの溝６５は、Ｚ方向（＋Ｚ方向）に互いに離間している。すなわち、一方の溝６５は、他方の溝６５から＋Ｚ方向に離間している。二つの溝６５は、略平行に延びている。しかし、二つの溝６５が延びる方向が、互いに異なっても良い。二つの溝６５は、互いに連通されず、分離されている。なお、二つの溝６５が互いに連通していても良い。
【００６３】
溝６５は、略半円形の断面を有する。なお、溝６５の断面は、三角形、四角形、又は他の形状であっても良い。外面３２ａと直交する方向における溝６５の長さ（深さ）は、外面３２ａと直交する方向における側壁３２の長さ（厚さ）よりも短い。
【００６４】
Ｚ方向における溝６５の長さ（幅）と、外面３２ａと直交する方向における溝６５の長さ（深さ）とは、水のような液体が浸入可能に設定される。本実施形態では、溝６５の幅、深さ、断面積、及び断面形状は、毛細管現象により液体が溝６５に浸入可能に設定される。なお、溝６５の幅、深さ、断面積、及び断面形状は、実質的に毛細管現象を伴わずに液体が溝６５に侵入可能な大きさに設定されても良い。
【００６５】
二つの溝６５は、互いに同一の長さ及び断面形状を有する。しかし、二つの溝６５は、互いに異なる長さを有しても良いし、互いに異なる断面形状を有しても良い。さらに、それぞれの溝６５は、一定の断面形状を有する。しかし、溝６５の断面形状は、当該溝６５が延びる方向において変化しても良い。
【００６６】
溝６５は、＋Ｚ方向における外面３２ａの縁３２ｃから、−Ｚ方向に離間している。＋Ｚ方向における外面３２ａの縁３２ｃは、＋Ｚ方向における外面３２ａの端に位置し、側壁３２に沿って延びている。縁３２ｃは、＋Ｚ方向における側壁３２の端部３２ｂから離間していても良い。
【００６７】
さらに、溝６５は、−Ｚ方向における外面３２ａの縁３２ｄから、＋Ｚ方向に離間している。−Ｚ方向における外面３２ａの縁３２ｄは、−Ｚ方向における外面３２ａの端に位置し、側壁３２に沿って延びている。
【００６８】
溝６５は、縁３２ｃ，３２ｄと隣接していても良い。しかし、溝６５を形成する外面３２ａの縁は、＋Ｚ方向における外面３２ａの縁３２ｃとは異なる。すなわち、溝６５は、＋Ｚ方向における側壁３２の端部３２ｂには開口しない。溝６５は、Ｚ方向における側壁３２の両側の縁３２ｃ，３２ｄの間に設けられる。
【００６９】
図６に示すように、溝６５は、側壁３２のうち外壁３５と隔壁３６の少なくとも一部とに設けられる。外壁３５に設けられた溝６５と、隔壁３６に設けられた溝６５とは、互いに連続する。なお、外壁３５に設けられた溝６５は、切り欠き又は孔によって分断されていても良い。
【００７０】
隔壁３６の外面３２ａに開口する溝６５は、排水室Ｓ２に連通する。このため、排水室Ｓ２が外壁３５及び隔壁３６に連続的に設けられた溝６５に連通する。図７に示すように、例えば、クッション材２３の内壁５３が、間隔を介して隔壁３６の溝６５を覆う。
【００７１】
以上のタブレット１０は、例えば、ＩＰＸ２等級（防滴ＩＩ型）に準拠する防水（防滴）性能を有する。タブレット１０は、表示面１２ａが鉛直上方向に向いている場合に、鉛直から１５度の範囲で落ちてくる水滴による有害な影響がないように設計されている。なお、タブレット１０は、この例に限られない。
【００７２】
具体的には、図３に示すように、封止材４５が、表示装置１２とフロントカバー２２の支持壁４２との間の隙間を水密に塞ぐ。さらに、フロントカバー２２の外側壁４１が底壁３１の縁３１ｃ及び側壁３２の外壁３５を囲む。これにより、鉛直から１５度の範囲で落ちてくる水滴が筐体１１の内部に浸入することが抑制される。
【００７３】
例えばユーザがタブレット１０を把持した場合、ユーザが筐体１１に与える外力により、側壁３２の外面３２ａと外側壁４１の内面４１ｂとの間の隙間Ｓ３において、圧力変動が生じる場合がある。当該圧力変動は、隙間Ｓ３の外部の液体を、隙間Ｓ３の内部に吸引する虞がある。なお、側壁３２の外面３２ａと外側壁４１の内面４１ｂとが互いに接触している場合も、隙間Ｓ３は、ユーザが筐体１１に与える外力により一時的に発生し得る。また、液体は、毛細管現象により隙間Ｓ３に浸入する虞がある。
【００７４】
隙間Ｓ３に浸入した液体が一方の溝６５に到達した場合、当該液体は、毛細管現象により当該溝６５に浸入する。隙間Ｓ３に浸入した液体がさらに他方の溝６５に到達した場合、当該液体は、毛細管現象により当該溝６５にも浸入する。
【００７５】
外壁３５の外面３２ａの溝６５に浸入した液体は、毛細管現象により溝６５の内部で流れ広がる。広がった液体が隔壁３６の外面３２ａの溝６５に到達すると、液体は隔壁３６の溝６５から排水室Ｓ２に排出される。排水室Ｓ２の容積は、溝６５の容積よりも広い。液体が排水室Ｓ２に排出されやすいように、隔壁３６の外面３２ａが濡れやすく加工されても良い。
【００７６】
排水室Ｓ２に排出された液体は、排水室Ｓ２に溜められ得る。排水室Ｓ２に排出された液体は、排水室Ｓ２に連通する排水口３８から、筐体１１の外部に排出され得る。さらに、排水室Ｓ２で蒸発した液体が、排水口３８から、筐体１１の外部に排出され得る。このように、隙間Ｓ３に浸入した液体は、排水室Ｓ２を通じて、排水口３８から筐体１１の外部に排出される。なお、蒸発した液体は、隙間Ｓ３から筐体１１の外部に排出されても良い。
【００７７】
少量の液体が隙間Ｓ３に浸入した場合、液体が溝６５に留まることがある。当該液体は、例えば、蒸発し、溝６５及び排水室Ｓ２を通じて、排水口３８から筐体１１の外部に排出される。蒸発した液体は、少量であるため、隙間Ｓ３から内室Ｓ１に入っても、基板１４のような部品に影響を与え難い。内室Ｓ１に浸入した蒸気は、例えば、通気口３９から筐体１１の外部に排出される。
【００７８】
以上のように、タブレット１０（電子機器）は、リアカバー２１（第１の部材）と、リアカバー２１に取り付けられるフロントカバー２２（第２の部材）と、を有する筐体１１、を備える。リアカバー２１は、底壁３１（第１の壁）と、底壁３１から当該底壁３１と交差する＋Ｚ方向（突出方向）に突出する側壁３２（第２の壁）と、側壁３２に設けられるとともに筐体１１の外部に向く外面３２ａと、＋Ｚ方向における外面３２ａの縁３２ｃと、を有する。フロントカバー２２は、外側壁４１（第３の壁）と、外側壁４１に設けられるとともに外面３２ａと向かい合う内面４１ｂと、を有する。外面３２ａに、外面３２ａの縁３２ｃから離間しているとともに、＋Ｚ方向と交差するとともに内面４１ｂ及び外面３２ａのうち少なくとも一方に沿う方向に延びる、凹部６１としての溝６５が設けられる。このような構成によれば、外面３２ａと内面４１ｂとの間の隙間Ｓ３に液体が浸入した場合、当該液体は、例えば毛細管現象により凹部６１に浸入する。凹部６１は、外面３２ａの縁３２ｃから離間しているため、液体が隙間Ｓ３を越えて筐体１１の内部に浸入することを抑制することができる。従って、本実施形態のタブレット１０は、簡素な構造により液体が筐体１１の内部に浸入することを抑制することができ、タブレット１０のコストが増大することを抑制できる。また、隙間Ｓ３に、例えば封止材を充填する必要が無い。従って、フロントカバー２２をリアカバー２１から容易に取り外すことができ、タブレット１０の保守が容易になる。
【００７９】
また、タブレット１０では、筐体１１に、側壁３２に囲まれた内室Ｓ１（第１の部屋）と、凹部６１と連通するとともに内室Ｓ１から隔てられた排水室Ｓ２（第２の部屋）と、が設けられる。このような構成によれば、毛細管現象により凹部６１に浸入した液体が排水室Ｓ２に導入される。従って、液体が筐体１１の内部の内室Ｓ１に浸入することが抑制される。
【００８０】
また、タブレット１０では、筐体１１に、排水室Ｓ２と筐体１１の外部とを連通する排水口３８（第１の孔）が設けられる。このような構成によれば、排水室Ｓ２に導入された液体が、排水口３８から排出される。従って、液体が筐体１１の内部に浸入することが抑制される。
【００８１】
また、タブレット１０では、筐体１１に、内室Ｓ１と筐体１１の外部とを連通する複数の通気口３９（第２の孔）が設けられる。排水口３８と複数の通気口３９とが一つの列を形成する。このような構成によれば、排水口３８と複数の通気口３９とが統一感のある意匠を形成し、タブレット１０の外観を向上させることができる。
【００８２】
また、タブレット１０では、凹部６１は、＋Ｚ方向に互いに離間した複数の溝６５を含む。このような構成によれば、隙間Ｓ３に浸入した液体が、一つの溝６５から溢れたとしても、他の溝６５に浸入する。複数の溝６５は、液体が隙間Ｓ３を越えて筐体１１の内部に浸入することを抑制することができる。
【００８３】
また、タブレット１０では、凹部６１は、外面３２ａに設けられる。このような構成によれば、外面３２ａは筐体１１の外部に向くため、例えば射出成型、ダイカスト成型、切削加工、及び他の加工において、当該外面３２ａに凹部６１を設けることが容易となる。
【００８４】
（第２の実施形態）
以下に、第２の実施形態について、図８を参照して説明する。なお、以下の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【００８５】
図８は、第２の実施形態に係るタブレット１０の一部を示す断面図である。図８に示すように、第２の実施形態では、外側壁４１の内面４１ｂの一部４１ｂａに、凹部７１が設けられる。凹部７１は、二つの溝７５を有する。なお、凹部７１は、一つ又は三つ以上の溝７５を有しても良い。溝７５は、内面４１ｂの一部４１ｂａに開口する有底の窪みである。
【００８６】
溝７５は、外側壁４１に沿って延びている。なお、溝７５が延びる方向と、外側壁４１が延びる方向とが、互いに異なっても良い。本実施形態では、Ｘ方向に延びる外側壁４１に設けられた溝７５は、Ｘ方向に延びている。Ｙ方向に延びる外側壁４１に設けられた溝７５は、Ｙ方向に延びている。
【００８７】
凹部７１（溝７５）が延びる方向は、側壁３２が突出する＋Ｚ方向と交差する方向であるとともに、内面４１ｂに沿う方向である。本実施形態では、凹部７１（溝７５）が延びる方向は、＋Ｚ方向と直交する方向であるとともに、内面４１ｂと平行な方向である。凹部７１が延びる方向は、＋Ｚ方向と斜めに交差する方向であっても良い。
【００８８】
二つの溝７５は、Ｚ方向（＋Ｚ方向）に互いに離間している。すなわち、一方の溝７５は、他方の溝７５から＋Ｚ方向に離間している。二つの溝７５は、略平行に延びている。しかし、二つの溝７５が延びる方向が、互いに異なっても良い。二つの溝７５は、互いに連通されず、分離されている。なお、二つの溝７５が互いに連通していても良い。
【００８９】
溝７５は、略半円形の断面を有する。なお、溝７５の断面は、三角形、四角形、又は他の形状であっても良い。内面４１ｂと直交する方向における溝７５の長さ（深さ）は、内面４１ｂと直交する方向における外側壁４１の長さ（厚さ）よりも短い。
【００９０】
Ｚ方向における溝７５の長さ（幅）と、内面４１ｂと直交する方向における溝７５の長さ（深さ）とは、水のような液体が浸入可能に設定される。本実施形態では、溝７５の幅、深さ、断面積、及び断面形状は、毛細管現象により液体が溝７５に浸入可能に設定される。なお、溝７５の幅、深さ、断面積、及び断面形状は、実質的に毛細管現象を伴わずに液体が溝７５に侵入可能な大きさに設定されても良い。
【００９１】
二つの溝７５は、互いに同一の長さ及び断面形状を有する。しかし、二つの溝７５は、互いに異なる長さを有しても良いし、互いに異なる断面形状を有しても良い。さらに、それぞれの溝７５は、一定の断面形状を有する。しかし、溝７５の断面形状は、当該溝７５が延びる方向において変化しても良い。
【００９２】
溝７５は、＋Ｚ方向における側壁３２の外面３２ａの縁３２ｃから離間している。さらに、溝７５は、−Ｚ方向における外面３２ａの縁３２ｄから離間している。なお、溝７５は、縁３２ｃ，３２ｄと隣接していても良い。溝７５は、Ｚ方向において、側壁３２の両側の縁３２ｃ，３２ｄの間に設けられる。
【００９３】
溝７５と、側壁３２に設けられた溝６５とは、互いに略同一の断面形状を有する。しかし、溝６５，７５は、互いに異なる断面形状を有しても良い。また、溝６５，７５は、Ｚ方向において、略同一位置に設けられる。なお、Ｚ方向において、溝６５，７５が互いに異なる位置に設けられても良い。
【００９４】
側壁３２の溝６５と、外側壁４１の溝７５とは、向かい合って、流路７９を形成する。流路７９の幅、深さ、断面積、及び断面形状は、液体が流路７９に浸入可能に設定される。この場合、溝６５，７５は、単体では液体が侵入し難くても良い。
【００９５】
溝７５は、排水室Ｓ２に連通する。このため、排水室Ｓ２が外側壁４１に設けられた溝７５に連通する。なお、溝７５は、排水室Ｓ２から離間していても良い。また、排水室Ｓ２は、溝６５，７５により形成される流路７９にも連通している。
【００９６】
第２の実施形態においても、隙間Ｓ３に液体が浸入することがある。隙間Ｓ３に浸入した液体が一方の溝７５に到達した場合、当該液体は、毛細管現象により一方の溝７５（流路７９）に浸入する。隙間Ｓ３に浸入した液体がさらに他方の溝７５に到達した場合、当該液体は、毛細管現象により他方の溝７５（流路７９）にも浸入する。
【００９７】
溝７５に浸入した液体は、毛細管現象により溝７５の内部で流れ広がる。広がった液体が溝７５の端に到達すると、液体は排水室Ｓ２に排出される。排水室Ｓ２の容積は、溝７５の容積よりも広い。排水室Ｓ２に排出された液体は、排水室Ｓ２に連通する排水口３８から、筐体１１の外部に排出され得る。
【００９８】
以上のように、タブレット１０では、内面４１ｂのうち外面３２ａと向かい合う部分４１ｂａに、凹部６１としての溝６５が設けられる。このような構成によれば、外面３２ａと内面４１ｂとの間の隙間Ｓ３に液体が浸入した場合、当該液体は、毛細管現象により凹部７１に浸入する。凹部７１は、外面３２ａの縁３２ｃから離間しているため、液体が隙間Ｓ３を越えて筐体１１の内部に浸入することを抑制することができる。従って、本実施形態のタブレット１０は、簡素な構造により液体が筐体１１の内部に浸入することを抑制することができ、タブレット１０のコストが増大することを抑制できる。
【００９９】
第２の実施形態において、溝６５，７５がともに設けられたが、溝６５と溝７５とのうち一方が設けられても良い。すなわち、溝６５，７５は、側壁３２の外面３２ａと、外側壁４１の内面４１ｂのうち外面３２ａと向かい合う部分４１ｂａと、の少なくとも一方に設けられる。
【０１００】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【０１０１】
１０…タブレットコンピュータ（電子機器）、１１…筐体、２１…リアカバー（第１の部材）、２２…フロントカバー（第２の部材）、３１…底壁（第１の壁）、３２…側壁（第２の壁）、３２ａ…外面、３２ｃ…縁、３８…排水口（第１の孔）、３９…通気口（第２の孔）、４１…外側壁（第３の壁）、４１ｂ…内面、４１ｂａ…部分、６１，７１…凹部、６５，７５…溝、Ｓ１…内室（第１の部屋）、Ｓ２…排水室（第２の部屋）。
【要約】
【課題】液体が筐体の内部に浸入することを抑制可能でありながらコストが増大することを抑制可能な電子機器を得る。
【解決手段】電子機器は、第１の部材と、前記第１の部材に取り付けられる第２の部材と、を有する筐体、を備え、前記第１の部材は、第１の壁と、前記第１の壁から当該第１の壁と交差する突出方向に突出する第２の壁と、前記第２の壁に設けられるとともに前記筐体の外部に向く外面と、前記突出方向における前記外面の縁と、を有し、前記第２の部材は、第３の壁と、前記第３の壁に設けられるとともに前記外面と向かい合う内面と、を有し、前記外面と、前記内面のうち前記外面と向かい合う部分と、の少なくとも一方に、前記外面の前記縁から離間しているとともに、前記突出方向と交差するとともに前記内面及び前記外面のうち少なくとも一方に沿う方向に延びる凹部が設けられる。
【選択図】図２【図１】
0006839371.tif 000002
【図２】
0006839371.tif 000003
【図３】
0006839371.tif 000004
【図４】
0006839371.tif 000005
【図５】
0006839371.tif 000006
【図６】
0006839371.tif 000007
【図７】
0006839371.tif 000008
【図８】
0006839371.tif 000009